(57)【要約】【課題】従来、インナーを利用して、頭に対する帽体の高さを調整する仕組みを有するヘルメットは存在しなかった。【解決手段】着用者の頭を覆う帽体と、帽体の内部に取り付けられる内装体であり、当該ハンモック自身の外面の頂部と帽体の内面の頂部との間に高さ方向の第一の間隙を確保するハンモック、および長さを調整可能なヘッドバンドを少なくとも有する内装体と、内装体の内部に取り付けられ、頭を覆うインナーと、内装体またはインナーのうち１以上に設けられ、インナーが頭を覆っている状態において、インナーの外面の頂部とハンモックの内面の頂部との間に高さ方向の第二の間隙を調整可能に確保する高さ調節機構とを具備するヘルメットにより、インナーを利用して、頭に対する帽体の高さを調整する仕組みを備えたことで、安全性を損なうことなく、被り心地の向上を実現したヘルメットを提供できる。【選択図】図１
2019218663.tif 000002
【特許請求の範囲】
【請求項１】
着用者の頭を覆う帽体と、
前記帽体の内部に取り付けられる内装体であり、当該ハンモック自身の外面の頂部と前記帽体の内面の頂部との間に高さ方向の第一の間隙を確保するハンモック、および長さを調整可能なヘッドバンドを少なくとも有する内装体と、
前記内装体の内部に取り付けられ、前記頭を覆うインナーと、
前記内装体または前記インナーのうち１以上に設けられ、前記インナーが前記頭を覆っている状態において、前記インナーの外面の頂部と前記ハンモックの内面の頂部との間に前記高さ方向の第二の間隙を調整可能に確保する高さ調節機構とを具備するヘルメット。
【請求項２】
前記高さ調節機構は、
前記ヘッドバンドに設けられ、前記インナーの外周部を前記高さ方向に巻き取る又は繰り出す巻き取り機構である、請求項１記載のヘルメット。
【請求項３】
前記高さ調節機構は、
前記ヘッドバンドまたは前記ハンモックと前記インナーの外周部とに形成され、前記ヘッドバンドまたは前記ハンモックに対し、前記インナーの外周部を、前記高さ方向に異なる２以上の位置から選択される一の位置で固定する選択固定構造である請求項１記載のヘルメット。
【請求項４】
前記高さ調節機構は、
前記ヘッドバンドの内面および前記インナーの外面に形成され、当該内面および当該外面を互いに結束する機構であり、その結束位置を前記高さ方向に変更可能な結束機構である請求項１記載のヘルメット。
【請求項５】
前記高さ調節機構は、
その一部が前記インナーの内面または外面に固定され、その他の一部が前記内装体または前記帽体に結び付け可能な、２以上の紐で構成された紐状の構造である請求項１記載のヘルメット。
【請求項６】
前記紐状の構造は、伸縮性を有する請求項５記載のヘルメット。
【請求項７】
前記高さ調節機構は、
弾性を有する部材であり、その中央部が前記インナーの外面の頂部に固定され、当該中央部から放射状に延びる３以上の各端部が、前記内装体または前記帽体に対し、前記高さ方向に異なる２以上の位置から選択される一の位置で固定される弾性部材である請求項１記載のヘルメット。
【請求項８】
着用者の頭を覆う帽体と、前記帽体の内部に取り付けられる内装体であり、当該ハンモック自身の外面の頂部と前記帽体の内面の頂部との間に高さ方向の第一の間隙を確保するハンモック、および長さを調整可能なヘッドバンドを少なくとも有する内装体と、前記内装体の内部に取り付けられ、前記頭を覆うインナーとを具備するヘルメットにおいて、
前記内装体または前記インナーのうち１以上に設けられ、前記インナーが前記頭を覆っている状態において、前記インナーの外面の頂部と前記ハンモックの内面の頂部との間に高さ方向の第二の間隙を調整可能に確保する高さ調節機構。
【発明の詳細な説明】
【技術分野】
【０００１】
本発明は、作業用のヘルメット等に関するものである。
【背景技術】
【０００２】
従来、帽体の内部に、サイズ調整可能なヘッドバンドを有するヘルメットが存在した（例えば、特許文献１参照）。ユーザは、ヘルメットを被った状態で、頭部の周方向の大きさに応じてヘッドバンドのサイズ調整を行うことにより、ヘルメットの頭部に対する密着性を高めることができる。
【０００３】
また、一般に、ヘルメットの帽体内には、ハンモックも設けられる。そして、帽体とハンモックとの間に一定の高さの空間が存在するが、衝撃吸収性能を保持するため、この空間の高さを調節してはならない。この空間の存在により、ヘルメットを被った頭部への外部からの衝撃は、帽体およびハンモックにおいて効果的に吸収され、頭部が保護される。
【先行技術文献】
【特許文献】
【０００４】
【特許文献１】特開２０１０−２０３０１５号公報
【発明の概要】
【発明が解決しようとする課題】
【０００５】
ところで、頭に対する帽体の高さ（例えば、頭頂部から帽体の内面の頂部までの高さ）は、ユーザによるヘルメットの被り心地を左右する。このことは、ユーザによって、頭部の高さ方向の大きさも異なる上、例えば、目深に被る、浅く被るといった、ヘルメットを被る深さの好みが違うこと等に起因する。
【０００６】
しかし、帽体とハンモックとの間の空間の高さを変えることは、規格上できない又は安全上好ましくない。
【０００７】
他方、ヘルメット装着時には、発汗や頭髪の乱れ、汚れ等の対策として、キャップ状のインナーが着用される場合がある。
【０００８】
そこで、本願の発明者は、ハンモックの内部にインナーを取り付け、このインナーとハンモックとの間に、その高さを調整可能な空間を確保することにより、安全性を損なうことなく、ヘルメットの被り心地を向上させることを発案した。
【０００９】
なお、従来、インナーを利用して、頭に対する帽体の高さを調整する仕組み又はそのような仕組みを有するヘルメットは、存在しなかった。
【課題を解決するための手段】
【００１０】
本第一の発明のヘルメットは、着用者の頭を覆う帽体と、帽体の内部に取り付けられる内装体であり、当該ハンモック自身の外面の頂部と帽体の内面の頂部との間に高さ方向の第一の間隙を確保するハンモック、および長さを調整可能なヘッドバンドを少なくとも有する内装体と、内装体の内部に取り付けられ、頭を覆うインナーと、内装体またはインナーのうち１以上に設けられ、インナーが頭を覆っている状態において、インナーの外面の頂部とハンモックの内面の頂部との間に高さ方向の第二の間隙を調整可能に確保する高さ調節機構とを具備するヘルメットである。
【００１１】
かかる構成により、インナーを利用して、頭に対する帽体の高さを調整する仕組みを備えたことで、安全性を損なうことなく、被り心地の向上を実現したヘルメットを提供できる。
【００１２】
また、本第二の発明のヘルメットは、第一の発明に対して、高さ調節機構は、ヘッドバンドに設けられ、インナーの外周部を高さ方向に巻き取る又は繰り出す巻き取り機構である、ヘルメットである。
【００１３】
かかる構成により、頭に対する帽体の高さを、単純な機構で微細かつ広範に調整できる。
【００１４】
また、本第三の発明のヘルメットは、第一の発明に対して、高さ調節機構は、ヘッドバンドまたはハンモックとインナーの外周部とに形成され、ヘッドバンドまたはハンモックに対し、インナーの外周部を、高さ方向に異なる２以上の位置から選択される一の位置で固定する選択固定構造であるヘルメットである。
【００１５】
かかる構成により、頭に対する帽体の高さを、簡単な構造で２段階以上に調整できる。
【００１６】
また、本第四の発明のヘルメットは、第一の発明に対して、高さ調節機構は、ヘッドバンドの内面およびインナーの外面に形成され、内面および外面を互いに結束する機構であり、その結束位置を高さ方向に変更可能な結束機構であるヘルメットである。
【００１７】
かかる構成により、頭に対する帽体の高さを、簡単な機構で調整できる。
【００１８】
また、本第五の発明のヘルメットは、第一の発明に対して、高さ調節機構は、その一部がインナーの内面または外面に固定され、その他の一部が内装体または帽体に結び付け可能な、２以上の紐で構成された紐状の構造であるヘルメットである。
【００１９】
かかる構成により、頭に対する帽体の高さを、単純な構造で調整できる。
【００２０】
また、本第六の発明のヘルメットは、第五の発明に対して、紐状の構造は、伸縮性を有するヘルメットである。
【００２１】
かかる構成により、紐状の構造が伸縮することで、被り心地が一層向上する。
【００２２】
また、本第七の発明のヘルメットは、第一の発明に対して、高さ調節機構は、弾性を有する部材であり、その中央部がインナーの外面の頂部に固定され、中央部から放射状に延びる３以上の各端部が、内装体または帽体に対し、高さ方向に異なる２以上の位置から選択される一の位置で固定される弾性部材であるヘルメットである。
【００２３】
かかる構成により、頭に対する帽体の高さを、単純な弾性部材で２段階以上に調整できる。
【００２４】
また、本第八の発明の高さ調節機構は、着用者の頭を覆う帽体と、帽体の内部に取り付けられる内装体であり、当該ハンモック自身の外面の頂部と帽体の内面の頂部との間に高さ方向の第一の間隙を確保するハンモック、および長さを調整可能なヘッドバンドを少なくとも有する内装体と、内装体の内部に取り付けられ、頭を覆うインナーとを具備するヘルメットにおいて、内装体またはインナーのうち１以上に設けられ、インナーが頭を覆っている状態において、インナーの外面の頂部とハンモックの内面の頂部との間に高さ方向の第二の間隙を調整可能に確保する高さ調節機構である。
【００２５】
かかる構成により、インナーを利用して、頭に対する帽体の高さを調整する仕組みを提供できる。その結果、例えば、安全性を損なうことなく、被り心地の向上を実現したヘルメットを提供できる。
【発明の効果】
【００２６】
本発明によれば、インナーを利用して、頭に対する帽体の高さを調整する仕組みを備えたことで、安全性を損なうことなく、被り心地の向上を実現したヘルメットを提供できる。
【図面の簡単な説明】
【００２７】
【図１】実施の形態におけるヘルメットの構成図
【図２】同高さ調整機構の第一の態様である巻き取り機構の概略図
【図３】同高さ調整機構の第二の態様である選択固定構造の概略図
【図４】同高さ調整機構の第三の態様である結束機構の概略図
【図５】同高さ調整機構の第四の態様である交差紐構造の概略図
【図６】同高さ調整機構の第五の態様である伸縮材の概略図
【図７】同高さ調整機構の第六の態様である弾性部材の概略図
【発明を実施するための形態】
【００２８】
以下、ヘルメット等の実施形態について図面を参照して説明する。なお、実施の形態において同じ符号を付した構成要素は同様の動作を行うので、再度の説明を省略する場合がある。
【００２９】
本実施形態において、ヘルメットの内装体にインナーを取り付け、その取り付けられたインナーの外面から、内装体を構成するハンモックの内面までの高さを調節する、高さ調節機構を有するヘルメットについて説明する。
【００３０】
図１は、本実施の形態におけるヘルメット１の構成図である。ヘルメット１は、着用者の頭を覆う硬性の帽体１１と、帽体１１の内部に取り付けられる内装体１２と、内装体１２の内部に取り付けられ、頭を覆う軟性のインナー１３と、内装体１２またはインナー１３のうち１以上に設けられる高さ調節機構１４とを備える。
【００３１】
帽体１１は、通常、硬性の素材で形成される。硬性の素材とは、固さが第一閾値以上又は第一閾値より大きい素材である。硬性の素材は、例えば、ＦＲＰやＡＢＳ等の樹脂であるが、金属でもよく、その種類は問わない。
【００３２】
内装体１２は、ハンモック１２１、およびヘッドバンド１２２を有する。ハンモック１２１は、例えば、それぞれの一方端が一の点で結合された３以上の吊りバンドで構成される。または、ハンモック１２１は、３以上の吊りバンドと、当該３以上の各吊りバンドの一方の端部同士を結合する環ひもとで構成されてもよい。なお、環ひもと３以上の吊りバンドとは、一体成型されていてもよく、環ひもは、３以上の各吊りバンドの一部と考えてもよい。
【００３３】
３以上の各吊りバンドの他方の端部は、例えば、ヘッドバンド１２２の外面と、帽体１１の内面の外周近傍とに連結され、それによって、ハンモック１２１およびヘッドバンド１２２を有する内装体１２が、帽体１１の内部に取り付けられる。
【００３４】
なお、内装体１２は、例えば、ライナーやその他の部材をさらに有してもよい。ライナーは、帽体１１の内面に取り付けられる殻状の衝撃吸収部材である。ライナーは、例えば、発泡スチロールで形成されるが、その材質は問わない。または、ライナーは、帽体１１の一部と考えてもよい。
【００３５】
ハンモック１２１は、その外面の頂部Ｐ１と帽体１１の内面の頂部Ｐ２との間に、高さ方向の第一の間隙ｄ１を確保する。なお、頂部とは、通常、頂点であるが、頂点およびその近傍を含む範囲でもよい。また、第一の間隙ｄ１は、調整不可能である。
【００３６】
第一の間隙ｄ１は、予め決められた閾値以上または閾値より大きい値である。閾値は、例えば、５ｍｍである。ただし、閾値は、例えば、頭部への衝撃を緩和し得る値であれば、これに限らない。また、閾値は、例えば、帽体１１を構成する素材の耐衝撃性や、ライナーの有無等に応じて変更され得る。これにより、外部からの衝撃に対する安全性が高いヘルメット１を提供できる。
【００３７】
ヘッドバンド１２２は、長さを調整可能である。ヘッドバンド１２２は、例えば、長さ方向に配列された２以上の孔と、当該２以上の孔から選択された一の孔と契合される留め具とで構成された長さ調節機構を有しており、その長さを、頭の周長に応じて調整可能である。なお、この種の長さ調節機構は公知であり、説明を省略する。これにより、頭に対する密着性が高いヘルメット１を提供できる。なお、頭に対する高い密着性は、例えば、前述した安全性、および後述する快適な被り心地に寄与し得る。
【００３８】
インナー１３は、軟性の素材で形成される。軟性の素材とは、固さが第二閾値以下又は第二閾値より小さい素材である。なお、第二閾値は、通常、上記第一閾値よりも小さいが、第一閾値と同じでもよい。軟性の素材は、例えば、化繊、木綿等であるが、その種類は問わない。インナー１３は、例えば、化繊や綿等の生地を縫製することにより、キャップ状に形成される。なお、インナー１３は、例えば、市販のインナーキャップを加工したものでもよい。
【００３９】
インナー１３は、例えば、ヘッドバンド１２２に取り付けられるが、ハンモック１２１に取り付けられてもよいし、内装体１２のどの部材に取り付けられても構わない。
【００４０】
また、インナー１３は、内装体１２に対し、着脱可能に設けられることは好適であるが、着脱不可能に設けられていてもよい。これにより、発汗による不快感や頭髪の乱れ等を抑制可能なヘルメット１を提供できる。
【００４１】
高さ調節機構１４は、内装体１２またはインナー１３のうち１以上に設けられ、インナー１３が頭を覆っている状態において、インナー１３の外面の頂部Ｐ３と、ハンモック１２１の外面の頂部Ｐ１との間に、高さ方向の第二の間隙ｄ２を調整可能に確保する。
【００４２】
なお、調整可能に確保することは、例えば、高さ調節機構１４が第二の間隙ｄ２を確保し、かつ、確保された第二の間隙ｄ２が、高さ調節機構１４を介して、着用者等により調節され得ることである。
【００４３】
また、間隙ｄ２が調節されることは、インナー１３の外面の頂部Ｐ３から、ハンモック１２１の外面の頂部Ｐ２までの高さ（つまり、頂部Ｐ３に対する頂点Ｐ１の相対的な高さ）が調節されることである。または、かかる相対的な高さは、例えば、インナー１３の外面の頂部Ｐ３とハンモック１２１の内面の頂部１との間に存在する空間の高さ又は厚みと言い換えてもよい。
【００４４】
着用者は、高さ調節機構１４を介して間隙ｄ２を調節することにより、頭に対する帽体１１の高さ（例えば、頭頂部から帽体１１の内面の頂部Ｐ２までの高さ）を、例えば、頭の高さ方向のサイズや、被る深さの好み等に応じて変えることができる。これにより、快適な被り心地を実現したヘルメット１を提供できる。
【００４５】
第二の間隙ｄ２は、ハンモック１２１内の空間の高さ（例えば、Ｘ［ｍｍ］）を上限値とする範囲（例えば、“０〜Ｘ”）で、調整可能である。なお、ハンモック１２１内の空間の高さとは、当該空間の底面から当該空間の頂点までの高さである。
【００４６】
ただし、第二の間隙ｄ２の調整可能範囲の下限値は、０より大きな値であってもよい。下限値は、例えば、ハンモック１２１内の空間の高さと、頭を覆っている状態でのインナー１３の高さの最大値（例えば、Ｙ［ｍｍ］：ただし、Ｙ＜Ｘ）との差分（例えば、“Ｘ−Ｙ”）である。なお、頭を覆っている状態でのインナー１３の高さの最大値とは、着用者がヘルメット１を最も目深に被った場合のインナー１３の高さであり、例えば、インナー１３の生地のサイズおよび伸縮性で決まる定数であると考えてもよい。つまり、第二の間隙ｄ２の調整可能範囲は、“（Ｘ−Ｙ）〜Ｘ”でもよい。例えば、Ｘが１００ｍｍ、Ｙが９５ｍｍの場合、ｄ２は、５ｍｍ〜１００ｍｍの範囲で調整可能である。
【００４７】
高さ調節機構１４は、第二の間隙ｄ２を、上記の調整可能範囲の中の、予め決められた範囲（例えば、調整可能範囲“０〜１００ｍｍ”の中の“０〜１０ｍｍ”や“０〜１５ｍｍ”、または、調整可能範囲“５〜１００ｍｍ”の中の“５ｍｍ〜２５ｍｍ”等）で調整してもよい。ただし、高さ調節機構１４による第二の間隙ｄ２の調整範囲は、上記調整可能範囲の中であれば、どのような範囲でもよい。
【００４８】
高さ調節機構１４は、例えば、ヘッドバンド１２２に設けられるが、ハンモック１２１に設けられてもよいし、ヘッドバンド１２２およびハンモック１２１に設けられてもよいし、内装体１２のその他の部材に設けられても構わない。
【００４９】
または、高さ調節機構１４は、その一部が内装体１２（例えば、ヘッドバンド１２２またはハンモック１２１のうち１以上）に設けられ、他の一部がインナー１３に設けられてもよい。
【００５０】
なお、ヘルメット１は、例えば、あご紐等、上記以外の部材も有していてもよいことは言うまでもない。
【００５１】
以上のように構成されたヘルメット１において、高さ調節機構１４は、より特定的には、例えば、以下に説明する第一〜第六のいずれかの態様を有する。
【００５２】
第一の態様とは、インナー１３の外周を高さ方向に巻き取る又は繰り出す巻き取り式である。
【００５３】
第二の態様とは、インナー１３の外周部を、内装体１２に対し、高さ方向に異なる２以上の位置から選択される一の位置で固定する態様である。
【００５４】
第三の態様とは、インナー１３の外面とヘッドバンド１２２の内面を互いに結束し、その結束位置を変更し得る態様である。
【００５５】
第四の態様とは、その一部がインナー１３の内面または外面に固定された３以上の紐の各端部を、内装体１２または帽体１１（例えば、ヘッドバンド１２２）に結び付ける態様である。
【００５６】
第五の態様とは、伸縮材が縫い込まれたインナー１３を用いる態様である。
【００５７】
第六の態様とは、インナー１３の外面に、放射状に延びる３以上の脚部を有する弾性部材を設け、それら３以上の各脚部の先端を、内装体１２または帽体１１（例えば、ハンモック１２１を構成する３以上の各吊りバンド）に、高さ方向に異なる２以上の位置から選択される一の位置で固定する態様である。
【００５８】
（第一の態様）
【００５９】
本態様の高さ調節機構１４は、ヘッドバンド１２２に設けられ、インナー１３の外周部を高さ方向に巻き取る又は繰り出す、巻き取り機構である。巻き取り機構の一例を、図２に示す。
【００６０】
図２は、巻き取り機構の概略図である。この例では、インナー１３の外周に３以上の切り欠きが形成されており、巻き取り機構は、インナー１３の外周の、当該３以上の切り欠き以外の部分に固着されるＣ字型の軸と、この軸の、インナー１３の外周が固着されていない３以上の各部分が嵌め込まれる、ヘッドバンド１２２の外周に設けられた３以上の軸受けとで構成される。
【００６１】
軸の少なくとも一方の端部にダイヤルが設けられており、着用者がダイヤルを指でつまんで回転させると、インナー１３の外周部の生地が軸に巻き取られ又は軸から繰り出され、第二の間隙ｄ２（図１参照）が拡大または縮小する。
【００６２】
具体的には、インナー１３の生地が軸に巻き取られると、インナー１３の外面の頂部Ｐ３（図１参照）が下方に変位し、ハンモック１２１の内面の頂部Ｐ１との間の第二の間隙ｄ２は拡大する。また、生地が軸から繰り出されると、頂部Ｐ３は上方に変位し、第二の間隙ｄ２は縮小する。
【００６３】
なお、軸は、例えば、プラスチック等の樹脂で形成されるが、金属で形成されてもよく、その素材は問わない。軸受け、およびダイヤルも同様である。
【００６４】
なお、本例では、３以上の軸受けは、ヘッドバンド１２２の外周に設けられているが、ヘッドバンド１２２の内周に設けられてもよい。
【００６５】
（第二の態様）
【００６６】
本態様の高さ調節機構１４は、ヘッドバンド１２２またはハンモック１２１と、インナー１３の外周部とに形成され、ヘッドバンド１２２またはハンモック１２１に対し、インナー１３の外周部を、高さ方向に異なる２以上の位置から選択される一の位置で固定する、選択固定構造である。選択固定構造の一例を図３に示す。
【００６７】
図３は、選択固定構造の概略図である。この例では、インナー１３の外周部に、高さ方向に配列された２以上（例えば、５つ）の孔であり、第二の間隙ｄ２を調整するための２以上の孔（以下、調整孔）が形成される。２以上の調整孔は、例えば、５ｍｍ間隔で配列される。図３の例のように、５つの調整孔が５ｍｍ間隔で配列された場合、第二の間隙ｄ２の調整可能範囲は、例えば、“０〜２０ｍｍ”や“５ｍｍ〜２５ｍｍ”等となる。つまり、第二の間隙ｄ２は、最大２０ｍｍの幅で増減が可能である。
【００６８】
ただし、調整孔の数は、例えば、３や６等でもよく、２以上であれば何個でも構わない。また、２以上の調整孔の間隔は、例えば、３ｍｍや１ｃｍ等でもよく、その大小は問わない。
【００６９】
また、ヘッドバンド１２２またはハンモック１２１の一方（本例では、ハンモック１２１）に、インナー１３の上記２以上の調整孔のうち一の調整孔を貫通し得る突起が形成される。さらに、ヘッドバンド１２２またはハンモック１２１の他方（本例では、ヘッドバンド１２２）に、インナー１３の上記一の調整孔を貫通している上記突起と契合する孔であり、インナー１３をヘッドバンド１２２またはハンモック１２１の一方と共に、ヘッドバンド１２２またはハンモック１２１の他方に固定するための孔（以下、固定孔）が形成される。
【００７０】
なお、本例では、突起は、ハンモック１２１の３以上の各吊りバンドの、ヘッドバンド１２２側の端部側から分岐して伸びる枝部の先端に形成されている。また、インナー１３には、かかる枝部が貫通し得る孔（以下、貫通孔）がさらに形成されている。枝部の先端は、インナー１３の外部から貫通孔を貫通して、インナー１３の内部に入る。そして、インナー１３の内部に入った枝部の先端の突起が、インナー１３の上記２以上の調整孔のうち一の調整孔を貫通して、ハンモック１２１の内面の上記固定孔と契合する。これによって、インナー１３は、ヘッドバンド１２２と共に、ハンモック１２１の内面に固定される。
【００７１】
ただし、上記のような枝部および貫通孔は無くてもよい。あるいは、ヘッドバンド１２２またはハンモック１２１の一方に２以上の調整孔が形成され、ヘッドバンド１２２またはハンモック１２１の他方に固定孔が形成され、そして、インナー１３の外周部に突起が形成されてもよい。
【００７２】
いずれの場合も、インナー１３を、ヘッドバンド１２２またはハンモック１２１の一方と共に、ヘッドバンド１２２またはハンモック１２１の他方に、高さ方向に異なる２以上の位置から選択される一の位置で固定することが可能である。
【００７３】
（第三の態様）
【００７４】
本態様の高さ調節機構１４は、ヘッドバンド１２２の内面およびインナー１３の外面に形成され、内面および外面を互いに結束する機構であり、その結束位置を高さ方向に変更可能な結束機構である。結束機構の一例を図４に示す。
【００７５】
図４は、結束機構の概略図である。この例では、インナー１３の外周部に、高さ方向のレールが設けられ、ヘッドバンド１２２には、かかるレールと移動可能に係合するガイドが設けられる。レールには、２以上の凸部が形成され、ガイドには、当該２以上の凸部のいずれか１つと契合し得る凹部が形成されている。インナー１３は、かかるレールおよびガイドを介して、当該レールが有する２以上の凸部のいずれか１つに対応する位置で、ヘッドバンド１２２と結束される。
【００７６】
ユーザがレールを下または上に移動させると、ヘッドバンド１２２に対するインナー１３の結束位置が下方または上方に変位し、それによって、第二の間隙ｄ２は、増加または減少する結果となる。
（第四の態様）
【００７７】
本態様の高さ調節機構１４は、その一部（例えば、中央部。または、一方の端部）がインナー１３の内面または外面に固定され、その他の一部（例えば、両方の端部。または、他方の端部）が内装体１２または帽体１１（例えば、ヘッドバンド１２２）に結び付け可能な、２以上の紐で構成された紐状の構造である。
【００７８】
紐状の構造は、例えば、互いに交差する２以上の紐で構成される交差紐構造である。２以上の各紐は、その中央部がインナー１３の内面または外面に固定（例えば、縫い付け、接着等）され、その両端部が内装体１２または帽体１１に結び付け可能である。
【００７９】
または、紐状の構造は、それぞれの一方の端部が一点で結合され、当該一点から放射状に延びる３以上の紐で構成された放射紐構造でもよい。３以上の各紐の一方の端部同士を結合した結合部が、インナー１３の内面または外面、もしくはそれら内面および外面の間に固定され、各紐の他方の端部は、内装体１２または帽体１１に結び付け可能である。
【００８０】
紐状の構造の一例である交差紐構造を図５に示す。図５は、交差紐構造の概略図である。この例の交差紐構造は、２本の紐で構成され、各紐の中央部は、インナー１３に移動可能に縫い込まれている。ヘッドバンド１２２には、３以上の突起が設けられ、インナー１３の外周部には、当該３以上の突起と契合し得る３以上の孔が形成されており、３以上の突起が３以上の孔と契合することで、インナー１３は、ヘッドバンド１２２と結合される。
【００８１】
ヘッドバンド１２２には、交差紐構造を構成する２本の紐の、計４つの端部が貫通し得る４つの孔が形成されている。各端部には、端留めが設けられており、４つの端部は、ヘッドバンド１２２の内面側から、かかる４つの孔を貫通して、ヘッドバンド１２２の外面側に突出する。端留めは、こうしてヘッドバンド１２２の外面側に突出した端部の内面側への逆戻りを防止する。
【００８２】
着用者が４つの端部を同時に引くと、インナー１３の外面の頂部Ｐ３が下方に変位し、第二の間隙ｄ２が拡大する。着用者が帽体１１の外周の対向する２つの位置を両手で把持して下方に引き下げると、４つの端部は引き戻され、ハンモック１２１の内面の頂部Ｐ１が下方に変位する結果、第二の間隙ｄ２は縮小する。なお、図５の構造は例示であり、交差紐構造を構成する紐の数は、適宜変更される。例えば、紐の数が３であれば、端部の数は６となり、通常、孔の数も６となる。また、紐の数がＮであれば、端部の数は２Ｎとなり、通常、孔の数も２Ｎとなる。ただし、孔の数は、端部の数と同じとは限らず、端部の数より多くてもよい。
【００８３】
なお、紐状の構造は、伸縮性を有することは好適である。それによって、より快適な着用感が得られる。
【００８４】
（第五の態様）
【００８５】
または、例えば、図６に示すように、シリコンゴム等の伸縮性を有する素材（以下、伸縮材）を放射状に縫い込んだ生地で、インナー１３を縫製してもよい。この種のインナー１３は、着用者の頭のサイズや形状に応じて伸縮する。かかるインナー１３の外周部が、例えば、上記第四の態様と同様に、ヘッドバンド１２２に取り付けられる。着用者は、例えば、帽体１１の外周の対向する２つの位置を両手で把持して、下方に引き下げる又は上方に押し上げることにより、第二の間隙ｄ２が拡大または縮小し、快適な着用感が得られる。つまり、本態様の高さ調節機構１４は、インナー１３に縫い込まれた放射状の伸縮材である。
【００８６】
（第六の態様）
【００８７】
本態様の高さ調節機構１４は、弾性を有する部材（以下、弾性部材）であり、その中央部から放射状に延びる３以上の脚部を有する弾性部材である。この弾性部材の中央部は、インナー１３の外面の頂部Ｐ３に固定され、当該中央部から放射状に延びる３以上の各脚部の先端が、内装体１２または帽体１１に対し、高さ方向に異なる２以上の位置から選択される一の位置で固定される。かかる弾性部材の一例を図７に示す。
【００８８】
図７は、弾性部材の概略図である。この弾性部材の３以上の各脚部の先端は、ハンモック１２１の３以上の各吊りバンドに対して、高さ方向に異なる２以上の位置から選択される一の位置で固定される。
【００８９】
詳しくは、３以上の各吊りバンドには、高さ方向に配列された２以上（例えば、３つ）の調整孔が形成されている。各調整孔は、弾性部材の各脚部の先端と契合し得るサイズおよび形状を有する。なお、かかる弾性部材は、例えば、ポリプロピレン等の弾性に富んだ板材の打ち抜きによって形成される。ただし、弾性部材の製造方法は問わない。
【００９０】
上記のような弾性部材の中央部を、インナー１３の外面の頂部に固定する一方、固定されている弾性部材の３以上の各脚部の先端を、ハンモック１２１の３以上の各吊りバンドに形成されている２以上の調整孔から選択される一の調整孔と契合させる。これによって、インナー１３は、ハンモック１２１に対し、高さ方向に異なる２以上の位置から選択される一の位置で固定される。
【００９１】
従って、各脚部の先端を、各吊りバンドの２以上の調整孔のどの調整孔と契合させるかで、第二の間隙ｄ２が変化し、快適な着用感が得られる。
【００９２】
以上、本実施の形態によれば、ヘルメット１は、着用者の頭を覆う硬性の帽体１１と、帽体１１の内部に取り付けられる内装体１２と、内装体１２の内部に取り付けられ、頭を覆う軟性のインナー１３と、内装体１２またはインナー１３のうち１以上に設けられる高さ調節機構１４とを具備する。内装体１２は、ハンモック１２１、およびヘッドバンド１２２を少なくとも有する。ハンモック１２１は、当該ハンモック１２１自身の外面の頂部と、帽体１１の内面の頂部との間に、高さ方向の第一の間隙を確保する。ヘッドバンド１２２は、長さを調整可能である。高さ調節機構１４は、インナー１３が頭を覆っている状態において、インナー１３の外面の頂部とハンモック１２１の内面の頂部との間に高さ方向の第二の間隙を調整可能に確保する。
【００９３】
こうして、インナー１３を利用して、頭に対する帽体１１の高さを調整する仕組みを備えたことで、安全性を損なうことなく、被り心地の向上を実現したヘルメット１を提供できる。
【００９４】
また、上記ヘルメット１において、高さ調節機構１４は、ヘッドバンド１２２に設けられ、インナー１３の外周部を高さ方向に巻き取る又は繰り出す巻き取り機構であることにより、頭に対する帽体１１の高さを、単純な機構で微細かつ広範に調整できる。
【００９５】
また、上記ヘルメット１において、高さ調節機構１４は、ヘッドバンド１２２またはハンモック１２１とインナー１３の外周部とに形成され、ヘッドバンド１２２またはハンモック１２１に対し、インナー１３の外周部を、高さ方向に異なる２以上の位置から選択される一の位置で固定する選択固定構造であることにより、頭に対する帽体１１の高さを、簡単な構造で２段階以上に調整できる。
【００９６】
また、上記ヘルメット１において、高さ調節機構１４は、ヘッドバンド１２２の内面およびインナー１３の外面に形成され、内面および外面を互いに結束する機構であり、その結束位置を高さ方向に変更可能な結束機構であることにより、頭に対する帽体１１の高さを、簡単な機構で調整できる。
【００９７】
また、上記ヘルメット１において、高さ調節機構１４は、その一部がインナー１３の内面または外面に固定され、その他の一部が内装体１２または帽体１１に結び付け可能な、２以上の紐で構成された紐状の構造であることにより、頭に対する帽体１１の高さを、単純な構造で調整できる。
【００９８】
また、上記ヘルメット１において、紐状の構造が伸縮性を有することで、被り心地が一層向上する。
【００９９】
また、上記ヘルメット１において、高さ調節機構１４は、弾性を有する部材であり、その中央部がインナー１３の外面の頂部に固定され、中央部から放射状に延びる３以上の各端部が、内装体１２または帽体１１に対し、高さ方向に異なる２以上の位置から選択される一の位置で固定される弾性部材であることにより、頭に対する帽体１１の高さを、単純な弾性部材で２段階以上に調整できる。
【０１００】
なお、本発明は、以上の実施の形態に限定されることなく、種々の変更が可能であり、それらも本発明の範囲内に包含されるものであることは言うまでもない。
【産業上の利用可能性】
【０１０１】
以上のように、本発明にかかるヘルメットは、インナーを利用して、頭に対する帽体の高さを調整する仕組みを備えたことで、安全性を損なうことなく、被り心地の向上を実現でき、ヘルメット等として有用である。
【符号の説明】
【０１０２】
１  ヘルメット
１１  帽体
１２  内装体
１３  インナー
１４  高さ調節機構
１２１  ハンモック
１２２  ヘッドバンド
【図１】
2019218663.tif 000003
【図２】
2019218663.tif 000004
【図３】
2019218663.tif 000005
【図４】
2019218663.tif 000006
【図５】
2019218663.tif 000007
【図６】
2019218663.tif 000008
【図７】
2019218663.tif 000009